(57)【要約】【課題】ユニットを作製するとき、フレーム片（上板）の最適な位置に濾過材を確実に取り付けることができ、フレーム片と側板の端部連結部分をぴったりと突き当てることができるユニット交換型フィルタ装置を提供すること。【解決手段】フレーム１２内にユニット１３が着脱可能に収納されるように、前記フレーム１２内に前記ユニット１３の装着方向を規制する規制板１６を設けたユニット交換型フィルタ装置１１において、前記ユニット１３を、断面コの字状のフレーム片１２ａと濾過材３０とから形成し、さらに、該濾過材３０が前記断面コの字状のフレーム片１２ａに一体化されるように、フレーム片１２ａに前記濾過材の固定位置を規制する突出部を設けた。【選択図】  図１
2004283756.tif 000002
【特許請求の範囲】
【請求項１】
ユニット内にユニットが着脱可能に収納されるように、前記フレーム内に前記ユニットの装着方向を規制する規制板を設けたユニット交換型フィルタ装置において、
前記ユニットは、断面コの字状のフレーム片と濾過材とからなり、該濾過材が前記断面コの字状のフレーム片に一体化されるように、フレーム片は、前記濾過材の固定位置を規制する突出部が設けられていることを特徴とするユニット交換型フィルタ装置。
【請求項２】
前記突出部は、前記フレーム片の長手方向全部に渡って設けたことを特徴とする請求項１に記載のユニット交換型フィルタ装置。
【請求項３】
前記突出部は、奥行き方向両側に各々独立して設けてあることを特徴とする請求項１又は２のいずれかに記載のユニット交換型フィルタ装置
【請求項４】
前記突出部は、前記フレーム片の上辺から突出してなることを特徴とする請求項１から３のいずれかに記載のユニット交換型フィルタ装置。
【請求項５】
前記突出部は、前記フレーム片の側辺から突出してなることを特徴とする請求項１から３のいずれかに記載のユニット交換型フィルタ装置。
【発明の詳細な説明】
【０００１】
【発明の属する技術分野】
本発明は、フレーム内の除塵用ユニットまたは脱臭用ユニットが着脱可能に収納されるユニット交換型フィルタ装置に関する。
【０００２】
【従来の技術】
従来、フレーム内にユニットが着脱可能に収納されるユニット交換型フィルタ装置としては、例えば、図６に示すものが提案されている。このフィルター装置１は、上板２ａと底板２ｂと一対の側板２ｃ、２ｃとからなるフレーム２と、このフレーム２内に着脱可能に収納されるユニット３とによって構成されており、空調機器に設けられた所定部に装填される。
【０００３】
このユニット交換型フィルタ装置１は、前記フレーム２の上板２ａがユニット３と一体に設けられていて、図６に示すように、ユニット３をフレーム２内を滑らせることにより着脱可能に収納されるようになっている（例えば、特許文献１参照）。
【０００４】
しかし、上記ユニット交換型フィルタ装置１は、フレーム２を補強するため、側板２ｃ、２ｃ間に跨るように補強部４をリベット５で固定する必要がある。このため、ユニット３を滑らすことでフレーム２内に装着するときに、前記リベット５の突出部分がユニット３と接触して、スムーズな装着を図ることが難しく、また、ときには、ユニット３を損傷させるという問題点があった。
【０００５】
そこで、さらに上記ユニット交換型フィルタ装置１のフレーム２内に、図７に示すようにユニットの装着方向を規制する規制板を設けたものがある（例えば、特許文献２参照）。
【０００６】
しかしながら、上記ユニット交換型フィルタ装置１において、上板２ａと側板２ｃとは、その端部連結部分で、ある角度を有する突当て形状でぴったりと突当てられることが必要である。また、このユニット３は、上板２ａに濾過材を保持することが必要であるが、この濾過材を保持するに際して、例えば接着剤等を用いて上板２ａに接着する場合に接着位置を正しく定めることが困難であった。そのため、このユニット３をフレーム２内に装着しようとしても、上板２ａと側板２ｃの端部連結部分をぴったりと突き当てることができず、装着することができなくなることがあった。
【０００７】
また、一般にユニット３は、上板２ａの巾が片手で掴めるサイズで、濾過材の濾過面が例えば、６１０ｍｍ角のものが多用される。この場合、ユニット交換時に上板２ａを手で掴んで、挿入または持ち上げようとすると、上板２ａがひずんで取り扱い難いという問題点があった。
【０００８】
【特許文献１】
特開平１１−４２４１２号公報
【特許文献２】
特開２０００−２１０５１３号公報
【０００９】
【発明が解決しようとする課題】
そこで、本発明は、以上のような問題を鑑みてなされたものであり、ユニットを作製するとき、フレーム片（上板）の最適な位置に濾過材を確実に取り付けることができ、フレーム片と側板の端部連結部分をぴったりと突き当てることができるユニット交換型フィルタ装置を提供することにある。
【００１０】
【課題を解決する手段】
以上のような問題点を解決するために本発明が採った手段は、フレーム内にユニットが着脱可能に収納されるように、前記フレーム内に前記ユニットの装着方向を規制する規制板を設けたユニット交換型フィルタ装置において、前記ユニットは、断面コの字状のフレーム片と濾過材とからなり、該濾過材が前記断面コの字状のフレーム片に一体化されるように、フレーム片は、前記濾過材の固定位置を規制する突出部が設けられていることを特徴とするものである。
【００１１】
フレーム片に濾過材の固定位置を規制する突出部を設けてあるので、濾過材をフレーム内に設けた突出部に沿って装着させることによりフレーム片と濾過材とを確実に正確な位置に取り付けることができるようになる。したがって、規制部材によってユニットの装着位置が規制されるとしても、フレーム片と濾過材とが常に正確な位置関係に形成されるので、フレーム片を装着したとき、フレーム片と側板の端部連結部分をぴったりと突き当てて装着させることができる。
また、この突出部は、いわゆるリブのような役割を果たすことになるので、ユニット交換時にフレーム片を手で掴んで、挿入または持ち上げても、フレーム片がひずむことがない。
【００１２】
また、突出部は、フレーム片の長手方向全部に渡って設けることができ、この場合、濾過材のほぼ上部辺全部の位置を規制することができるため、フレーム片に対し、より正確な位置に濾過材を取り付けることができる。また、フレーム片の長手方向全体にリブが形成されることになるため、さらにフレーム片が歪むことを防止することができる。
【００１３】
また、突出部は、奥行き方向両端に各々独立して設けることができ、この場合、濾過材は、奥行き方法の両側から挟み込むように位置が規制されるため、正確な位置に、より確実に濾過材をフレーム片に取り付けることができる。
【００１４】
また、突出部は、フレーム片の上辺及び側辺のいずれにも設けることができる。上辺に設けた場合と側辺に設けた場合とでリブの形成状態が異なるため、フレーム辺の歪み防止を使用場所等に応じて適宜選択して使用できる。
【００１５】
【発明の実施の形態】
以下、本発明のユニット交換型フィルタ装置を、図面に示す実施の形態に従ってさらに詳しく説明する。
（実施例１）
図１は、実施例１におけるユニット交換型フィルタ装置１１を示す斜視図である。図２は、図１のユニット交換型フィルタ装置１１にユニットを装着した状態を示す側面断面図である。尚、本明細書で使用される「ユニット装着方向」とは、図１のフレームの上方から下方へ至る方向αをいい、「奥行き方向」とは、エアーが通過する方向βをいい、「長手方向」とは、フレームの側板から側板への方向γをいう。また、本発明では、説明の便宜のために、上下方向に着脱する実施形態を用いているが、図４のように９０°回転して設置し、横方向に着脱するものであってもよい。
【００１６】
ユニット交換型フィルタ装置１１は、フレーム１２内にユニット１３が着脱可能に収納されるものであって、フレーム１２の上方よりユニット１３が装着されるものである。フレーム１２は、断面コの字状のフレーム片１２ａと、断面コの字状に形成された底板１２ｂ及び一対の側板１２ｃ、１２ｃとで形成された下部フレームとからなる。フレーム片１２ａは、後述する濾過材３０が取り付けられてユニット１３を構成しており、下部フレームは、前記底板１２ｂとこの底板１２ｂ両端部より立設する一対の側板１２ｃ、１２ｃとから、前記ユニット１３を着脱可能に収納する収納部が構成されるようになっている。本発明は、フィルム片１２ａに濾過材３０を取り付ける位置を固定するときに位置を規定するために突出部１７を設けたものである。
【００１７】
底板１２ｂと一対の側板１２ｃ、１２ｃはその端部連結部分で４５°の突当形状を有し、それぞれ図１に示すＬ字の連結具２０によって連結されている。また、一対の側板１２ｃ、１２ｃ内面には、それぞれ連結具固定用突片２５によって前記連結具２０が嵌め込まれる嵌め込み部分Ｙが形成されている。さらに端部連結部分の断面を示す図３から理解できるように、底板１２ｂの内面にも同様の連結部固定用突片２５を設け、同様な嵌め込み部分Ｙを構成し、連結具２０の他の一片を嵌合させることによって、底板１２ｂと側板１２ｃとが組み立てられている。
【００１８】
また、側板１２ｃ、１２ｃには、これら側板１２ｃ、１２ｃ間を跨るように補強杆２１、２１がそれぞれ上流側と下流側とに固定されていて、前記底板１２ｂと一対の側板１２ｃ、１２ｃとからなる収納部の補強が図られている。
【００１９】
この補強杆２１を各側板１２ｃ、１２ｃの間をリベット２２で固定している。このリベット２２は、先端部分がフレーム１１の内面、すなわち、側板１２ｃ、１２ｃの内側面側に突出しているため、ユニット１３を装着するときにリベット２２の先端部分によってユニット１３に接触して損傷させるおそれがある。そこで、ユニット１３の装着方向を規制する規制板１６が各側板１２ｃ、１２ｃ内面の上流側端部と下流側端部とに、それぞれ前記ユニット１３の装着方向全部に渡って設けられている。
【００２０】
尚、前記各規制板１６は、それらによって規制される規制の範囲が、ユニット１３の外寸（詳しくは濾過材３０の外寸）と同じかそれより僅かに大きくなるように設けられている。
【００２１】
次に、前記フレーム１２内に収納されるユニット１３について説明する。ユニット１３は、フレーム１２の一部をなすフレーム片１２ａと濾過材３０とからなる。
【００２２】
ユニット１３を構成する濾過材３０の好ましい例としては、例えば、バインダ接着不織布、水流絡合不織布、ニードルパンチ不織布、繊維融着不織布、メルトブロー不織布、スパンボンド不織布、或いは紙などを単独で又は組み合わせたものなどを挙げることができる。なお、エレクトレット加工されているなど、各種後加工された濾過材３０は濾過性能が優れているためより好適である。また、粗密構造を有する濾過材３０も濾過性能が優れているため好ましい。また濾過材３０に脱臭剤、例えば粒状活性炭等を担持させて、脱臭効果を有する濾過材とすることも可能である。
【００２３】
濾過材３０を構成する繊維もまったく任意であり、例えば、レーヨンなどの再生繊維、アセテートなどの半合成繊維、ナイロン繊維、ビニロン繊維、ビニリデン繊維、ポリ塩化ビニル繊維、ポリエステル繊維、アクリル繊維、ポリエチレン繊維、ポリプロピレン繊維、ポリクラール繊維などの合成繊維、綿などの植物繊維、羊毛などの動物繊維、或いは２種類以上の樹脂を繊維断面において芯鞘状、貼り合わせ状、海島状、多重バイメタル状、オレンジ状などに組み合わせた、熱融着性、巻縮発現性、或いは分割性を有する複合繊維を１種類以上使用できる。
【００２４】
濾過材３０は、平板状のものであってもよいが、折り加工したものであると濾過性能がより優れているため好適である。折り加工方法としては、例えば、レシプロ式、ロータリー式などのプリーツ加工機による方法や、ジグザグ形状に成形された押型でプレスする方法などがある。折り加工して濾過材３０の折り襞の間隔としては、折り壁の高さが１０〜２５０ｍｍ程度、隣接する折り壁の間隔が２ｍｍ〜１０ｍｍ程度であるのが好ましい。濾過面は、３００〜８００ｍｍ角が好ましく、５００〜７００ｍｍ角がより好ましく、具体的には、例えば６１０ｍｍ角のユニットが多用される。なお、折り加工した濾過材３０に対して連続的に、又は間欠的にホットメルト樹脂を塗布するなどして、隣接する折り襞同士が風圧によって密着しないようにするとよい。また、単にジグザグ状に折り加工した濾過材３０以外に、ジグザグ状に折り加工し、さらに、Ｗ状に折り加工したものも使用できる。
【００２５】
一方、フレーム片１２ａは、上辺と側辺とからなる断面コの字状に形成されている。フレーム１２は、ＡＢＳ樹脂を用いて押し出し成型品を用いることが好ましいが、材料やその成型方法は特に限定するものではない。フレーム片１２ａの巾は、濾過材３０の大きさに応じて、２０〜２６０ｍｍのフレーム巾に設けられ、好ましくはフレーム片１２ａを片手で掴むことができる５０〜８０ｍｍの巾に設けるとよい。このような片手で掴めるサイズのフレーム片１２ａからなるユニット交換型フィルタ装置１１であれば、ユニット１３を上下方向に着脱する以外に、図４に示したように、ユニット１３を横方向に着脱する方式でも実用的である。
【００２６】
そして、このフレーム片１２ａには、濾過材３０が取り付けられるのであるが、フレーム片１２ａの適切な位置に濾過材３０を取り付けないと、ユニット１３を下部フレームに装着する際に、濾過材３０は規制板１６に規制されて挿入されるので、フレーム片１２ａと側板１２ｃ、１２ｃとの端部連結部分をぴったりと突き合わせることができなくなり、最悪の場合、装着することができなくなるという不具合が発生する。
【００２７】
そこで、フレーム片１２ａの内面には、図１，図３に示すように濾過材３０の位置を規制するための断面Ｌ字型の突出部１７が側辺から長手方向全部に渡って設けられている。濾過材３０は、この突出部１７によって規制されて、突出部１７に沿って取り付けられる。こうして濾過材３０はフレーム片１２ａに対し常に適切な固定位置に取り付けられることになる。好ましくは、図２に示すように、奥行き方向上流側と下流側の両側に各々独立して突出部１７ａ、１７ａを設けるとよい。このように濾過材３０の両側に設けることで、濾過材３０を両側から挟み込むようにして位置を固定することができるので、より確実に適切な位置へ取り付けることができる。なお、この突出部１７ａ、１７ａは、規制板１６と同様の形状とし、側板１２ｃ、１２ｃとフレーム片１２ａを突き合わせたときの端部連結部分の互いの断面形状（連結具固定用突片２５を除く。）を同じ形状に形成するとよい。濾過材３０の取り付けは、例えば、ホットメルト樹脂や気体を混入して２〜４倍程度に発泡させた独立気泡型ホットメルト樹脂、ウレタン、エポキシ系接着剤などによる接着法など、従来公知の方法により行うことができる。
【００２８】
また、こうして形成された突出部１７はいわゆるリブの役割を果たすことになるため、フレーム片１２ａが変形するのを防止することができ、フレーム片１２ａを手で掴んだとしても歪んだり、変形したりするのを防止することができる。
【００２９】
なお、ユニット交換型フィルタ装置１１の突出部１７の形状は特に限定するものではなく、図５のようにフレーム片１２ａ内側の上辺にＩ字型の突出部が長手方向全部に渡って設けられたものであってもよい。
【００３０】
【発明の効果】
このユニット交換型フィルタ装置は、フィルタ片に濾過材の取り付け位置を規制する突出部が設けられているので、突出部に沿ってフレーム片に濾過材を取り付けることで、フレーム片と濾過材の取り付け位置がずれることを防止し、常に適切な位置に取り付けることができる。
このため、ユニットをフレームに装着するときには、フレーム辺と側板の端部連結部分をぴったりと突当てて装着することができる。
【００３１】
また、フレーム片を掴んで挿入又は持ち上げようとする場合であっても、突出部がリブの役割をしてフレーム片の変形を防止することができ、容易かつスムーズな装着作業を行うことができる。
【００３２】
また、突出部は、フレーム片の長手方向全部に渡って設けることができ、この場合、濾過材のほぼ全長で位置を規制することができるため、フレーム片に対し、正確な位置に、より確実に濾過材を取り付けることができる。
【００３３】
また、突出部は、奥行き方向両端に各々独立して設けることができ、この場合、濾過材は、フレーム片に対し、奥行き方法の両側から位置が規制されるため、正確な位置に、より確実に濾過材をフレーム片に取り付けることができる。
【００３４】
【図面の簡単な説明】
【図１】実施例に係るユニット交換型フィルタ装置の一部を切り欠いた状態を表す斜視図である。
【図２】ユニットをフレーム内に装着した状態のユニット交換型フィルタ装置の側面断面図である。
【図３】側板と底板の端部連結部分を正面からみた断面図である。
【図４】ユニット交換型フィルタ装置のユニットを横から挿入できるように設置した状態を示す斜視図である。
【図５】突出部の変形例を表す断面図である。
【図６】従来のユニット交換型フィルタ装置を表す斜視図である。
【図７】従来のユニット交換型フィルタ装置を表す斜視図である。
【符号の説明】
１１                        ユニット交換型フィルタ装置
１２                        フレーム
１２ａ                    フレーム片ａ
１２ｂ                    底板
１２ｃ                    側板
１３                        ユニット
１６                        規制板
１７                        突出部
２１                        補強杆
２２                        リベット
２５                        連結具固定用突片
３０                        濾過材
【図１】
2004283756.tif 000003
【図２】
2004283756.tif 000004
【図３】
2004283756.tif 000005
【図４】
2004283756.tif 000006
【図５】
2004283756.tif 000007
【図６】
2004283756.tif 000008
【図７】
2004283756.tif 000009
【手続補正書】
【提出日】平成15年4月1日(2003.4.1)
【手続補正１】
【補正対象書類名】明細書
【補正対象項目名】請求項１
【補正方法】変更
【補正の内容】
【請求項１】
フレーム内にユニットが着脱可能に収納されるように、前記フレーム内に前記ユニットの装着方向を規制する規制板を設けたユニット交換型フィルタ装置において、
前記ユニットは、断面コの字状のフレーム片と濾過材とからなり、該濾過材が前記断面コの字状のフレーム片に一体化されるように、フレーム片は、前記濾過材の固定位置を規制する突出部が設けられていることを特徴とするユニット交換型フィルタ装置。